(57)【特許請求の範囲】
【請求項１】
冷媒を圧縮するコンプレッサと、
前記コンプレッサから吐出された高温高圧のガス冷媒を凝縮液化させて車外の空気に放熱する機能を備えたコンデンサユニットと、
内部を通過する冷媒を減圧・膨張させて低温・低圧の冷媒にする膨張弁と、
前記膨張弁を通過した低温低圧の液冷媒を蒸発気化させて、車内の空気から熱を奪う機能を備えたエバポレータユニットとを備えた車両用空気調和装置であって、
前記エバポレータユニットが、車両天井部分の左側部および右側部にそれぞれ設置されており、
各エバポレータユニットを構成するエバポレータと前記コンプレッサとを連通する一本の冷媒戻り管が、車両天井部分の左側部または右側部のどちらか一方に沿って配置されているとともに、
前記コンプレッサと前記コンデンサユニットを構成するコンデンサとを連通する一本の冷媒供給管が、車両天井部分の左側部または右側部の前記冷媒戻り管が配置されていない方に沿って配置されており、
かつ、一側部に配置されたエバポレータの出口近傍から鉛直上方に向かって延びて車両の屋根を貫通し、車両の他側部に配置されたエバポレータの出口近傍の鉛直上方に向かって延びた後に、鉛直下方に向かって延びて車両の屋根を貫通し、車両の他側部に配置されたエバポレータの出口近傍に設けられた合流管に向かって曲げられた後、この合流管に接続される第２の冷媒戻り管を備えていることを特徴とする車両用空気調和装置。
【請求項２】
請求項１に記載の車両用空気調和装置を備えてなることを特徴とする車両。
【発明の詳細な説明】
【技術分野】
【０００１】
本発明は、路線バス等の車両に搭載される車両用空気調和装置に関するものである。
【背景技術】
【０００２】
路線バス等の車両に搭載される車両用空気調和装置としては、例えば、特許文献１に開示された構成を有するものがある。
【特許文献１】特開２００１−１７４５号公報
【発明の開示】
【発明が解決しようとする課題】
【０００３】
路線バス等の車両では、車室の天井部分のスペースが狭く、この部分に冷媒供給管および冷媒戻り管の双方を配置することができないため、クーラーダクト内に冷媒供給管および／または冷媒戻り管を配置する必要があり、その整備性が低下するとともに、製造コストが嵩んでしまうといった問題点があった。
【０００４】
また最近では、エバポレータユニットの整備性を向上させるために、エバポレータユニットが、車両の天井部分の左側部および右側部にそれぞれ一つずつ設置されているとともに、各エバポレータユニットのエバポレータとコンプレッサとが、冷媒戻り管を介してそれぞれ接続されているものもある。そして、このような車両用空気調和装置でもやはり、車両のいずれかの側部に冷媒供給管および冷媒戻り管の双方が配置されることとなり、上記のような問題が生じてしまう。
【０００５】
本発明は、上記の事情に鑑みてなされたもので、整備性を向上させることができるとともに、製造コストの低減化を図ることができる車両用空気調和装置を提供することを目的としている。
【課題を解決するための手段】
【０００６】
本発明は、上記課題を解決するため、以下の手段を採用した。
本発明による車両用空気調和装置は、冷媒を圧縮するコンプレッサと、前記コンプレッサから吐出された高温高圧のガス冷媒を凝縮液化させて車外の空気に放熱する機能を備えたコンデンサユニットと、内部を通過する冷媒を減圧・膨張させて低温・低圧の冷媒にする膨張弁と、前記膨張弁を通過した低温低圧の液冷媒を蒸発気化させて、車内の空気から熱を奪う機能を備えたエバポレータユニットとを備えた車両用空気調和装置であって、前記エバポレータユニットが、車両天井部分の左側部および右側部にそれぞれ設置されており、各エバポレータユニットを構成するエバポレータと前記コンプレッサとを連通する一本の冷媒戻り管が、車両天井部分の左側部または右側部のどちらか一方に沿って配置されているとともに、前記コンプレッサと前記コンデンサユニットを構成するコンデンサとを連通する一本の冷媒供給管が、車両天井部分の左側部または右側部の前記冷媒戻り管が配置されていない方に沿って配置されており、かつ、一側部に配置されたエバポレータの出口近傍から鉛直上方に向かって延びて車両の屋根を貫通し、車両の他側部に配置されたエバポレータの出口近傍の鉛直上方に向かって延びた後に、鉛直下方に向かって延びて車両の屋根を貫通し、車両の他側部に配置されたエバポレータの出口近傍に設けられた合流管に向かって曲げられた後、この合流管に接続される第２の冷媒戻り管を備えている。
このような車両用空気調和装置によれば、車両天井部分（車室の天井部分）の左側部または右側部のどちらか一方に冷媒供給管を、車両天井部分の左側部または右側部の冷媒戻り管が配置されていない方に冷媒戻り管を、それぞれ納めることができて、クーラダクト内に冷媒供給管または冷媒戻り管を納める必要がなくなるので、その整備性を向上させることができるとともに、製造コストの低減化を図ることができる。
また、このような車両用空気調和装置によれば、冷媒供給管および冷媒戻り管が、それぞれ一本ずつ配置されることとなるので、その整備性をさらに向上させることができるとともに、製造コストの低減化をさらに図ることができる。
さらに、冷媒配管の総長さが最小限となるので、装置全体の重量を軽減させることができるとともに、架装工数を削減することができて、製造コストの低減化を図ることができる。
【０００８】
本発明による車両は、上記車両用空気調和装置を備えている。
このような車両によれば、装置全体の重量が軽減され、車両全体の重量が軽減されることとなるので、車両の燃費を低減させることができる。
【発明の効果】
【０００９】
本発明による車両用空気調和装置によれば、整備性を向上させることができるとともに、製造コストの低減化を図ることができるという効果を奏する。
【発明を実施するための最良の形態】
【００１０】
以下、本発明に係る車両用空気調和装置の一実施形態を、図１ないし図３を参照しながら説明する。図１は本実施形態における車両用空気調和装置１０を搭載した車両（例えば、路線バス）１の概略斜視図、図２は本実施形態における車両用空気調和装置１０の要部斜視図、図３はエバポレータユニットの概略断面図である。
車両用空気調和装置１０は、図示しないコンプレッサ（圧縮機）１１と、コンデンサユニット１２と、図示しない膨張弁と、エバポレータユニット１３とを主たる要素として構成されたものである。
なお、図１において符号２はフロントガラス、符号３は乗客の乗降口である。
【００１１】
コンプレッサ１１は、低温・低圧のガス状冷媒を圧縮して高温・高圧のガス状冷媒とするものであり、Ｖベルト１４等を介して車両１の走行用の駆動源（メインエンジン）１５（あるいは空気調和装置専用の駆動源（サブエンジン））により駆動されるようになっている。
【００１２】
図１に示すように、コンデンサユニット１２は、車両１の前方に位置する屋根Ｒの上に設置されているとともに、図示しないコンデンサ（室外熱交換器）と、コンデンサファン１６とを備えている。
コンデンサは、車両１の前方中央部に配置されているとともに、コンプレッサ１１から吐出された高温高圧のガス冷媒を凝縮液化させて車外の空気（外気）に放熱する機能を備えた平箱状（直方体状）の構造物である。
コンデンサファン１６は、コンデンサの吸い込み風量を増加させるためのものであり、コンデンサの両側方で、かつ、下流側近傍に配置されており、コンデンサファン１６の作動により、コンデンサ内におけるガス冷媒の液化がより促進されることとなる。
また、コンプレッサ１１とコンデンサとは、冷媒供給管１７を介して接続されており、コンプレッサ１１で圧縮された高温・高圧のガス状冷媒は、この冷媒供給管１７を通ってコンデンサに供給されるようになっている。冷媒供給管１７は、車室２１の天井部分の右側部に、車両１の前後方向に沿うようにして設けられている。
【００１３】
膨張弁は、内部を通過する冷媒を減圧・膨張させて低温・低圧の冷媒にするものである。
【００１４】
図１に示すように、エバポレータユニット１３は、コンデンサファン１６よりも車両１の幅方向中心側に位置する車室２１の天井部分で、かつ、車両１の左側部および右側部にそれぞれ一つずつ設置されている。各エバポレータユニット１３はそれぞれ、図３に示すように、エバポレータ（室内熱交換器）１８と、冷風送風機１９とを備えるとともに、クーラーダクト２０内に納められている。
【００１５】
エバポレータ１８は、膨張弁を通過した低温低圧の液冷媒を蒸発気化させて、車内の空気（内気）から熱を奪う機能を備えた平箱状（直方体状）の構造物である。
冷風送風機１９は、電動機により回転されるファンを有するシロッコファン等の回転型送風機であり、冷風送風機１９の吐出ダクト１９ａは、クーラダクト２０に開口している。
クーラーダクト２０は、車室２１の天井部分の両側部（左側部および右側部）に、車両１の前後方向に沿うようにして設けられており、各クーラダクト２０には、車室２１の中央通路上方部分に向って横方向に冷風を吹出す多数の吹出口２２と、乗客の座席に向って下向きに冷風を吹出す多数の吹出口２３とが設けられている。
なお、図３中の符号２４は、内気取入口である。
【００１６】
図１に示すように、車両１の左側部に配置されたエバポレータ１８とコンプレッサ１１とは、冷媒戻り管２５を介して接続されており、車両１の右側部に配置されたエバポレータ１８と、車両１の左側部に配置されたエバポレータ１８の出口近傍に位置する冷媒戻り管２５とは、第２の冷媒戻り管２６および合流管２７を介して接続されている。そして、車両１の左側部に配置されたエバポレータ１８で蒸発気化した低温・低圧のガス状冷媒は、冷媒戻り管２５を通ってコンプレッサ１１に戻され、車両１の右側部に配置されたエバポレータ１８で蒸発気化した低温・低圧のガス状冷媒は、第２の冷媒戻り管２６、合流管２７、および冷媒戻り管２５を通ってコンプレッサ１１に戻されるようになっている。
【００１７】
冷媒戻り管２５は、車室２１の天井部分の左側部に、車両１の前後方向に沿うようにして設けられている。
図１および図２に示すように、第２の冷媒戻り管２６は、車両１の右側部に配置されたエバポレータ１８の出口近傍から鉛直上方に向かって延びて車両１の屋根Ｒを貫通し、車両１の左側部に配置されたエバポレータ１８の出口近傍の鉛直上方に向かって延びた後に、鉛直下方に向かって延びて車両１の屋根Ｒを貫通し、車両１の左側部に配置されたエバポレータ１８の出口近傍に設けられた合流管２７に向かって曲げられた後、この合流管２７に接続されている。車両１の屋根Ｒを貫通し車外側にある第２の冷媒戻り管２６は、車両１の屋根Ｒ上に配置されたコンデンサユニット１２内に収納される。
【００１８】
本実施形態による車両用空気調和装置１０によれば、車室２１の天井部分の右側部に冷媒供給管１７を、車室２１の天井部分の左側部に冷媒戻り管２５を、それぞれ一本ずつ納めることができて、クーラダクト２０内に冷媒供給管１７または冷媒戻り管２５を納める必要がなくなるので、その整備性を向上させることができるとともに、製造コストの低減化を図ることができる。
また、冷媒配管の総長さが最小限となるので、装置全体の重量を軽減させることができるとともに、架装工数を削減することができて、製造コストの低減化を図ることができる。
さらに、本実施形態による車両用空気調和装置１０を搭載した車両１によれば、装置全体の重量が軽減され、車両全体の重量が軽減されることとなるので、車両１の燃費を向上させることができる。
【図面の簡単な説明】
【００１９】
【図１】本発明の一実施形態に係る車両用空気調和装置を搭載した車両の概略斜視図である。
【図２】図１に示す車両用空気調和装置の要部斜視図である。
【図３】エバポレータユニットの概略断面図である。
【符号の説明】
【００２０】
１  車両
１０  車両用空気調和装置
１１  コンプレッサ
１２  コンデンサユニット
１３  エバポレータユニット
１７  冷媒供給管
１８  エバポレータ
２１  車室
２５  冷媒戻り管
【図１】
0004773871.tif 000002
【図２】
0004773871.tif 000003
【図３】
0004773871.tif 000004